(57)【特許請求の範囲】
【請求項１】
椅子の座や背凭れに使用される椅子用基板であって、弾性変形可能な合成樹脂よりなる板材における座者の体圧が加わる部分に、左右方向と交差する方向を向き、かつ前記板材の上方または下方に凸状に湾曲する可撓性の容易変形部を、互いに平行をなすようにして、左右方向に並べて複数設けるとともに、前記容易変形部の長手方向の両端に連続して、板材に開口と、この開口の先端から長手方向に延びる狭幅のスリットとを設けたことを特徴とする椅子用基板。
【請求項２】
容易変形部を、板材の上方及び下方に向かって交互に凸状に湾曲する波形断面としてなる請求項１記載の椅子用基板。
【請求項３】
容易変形部の肉厚を、板材の厚さよりも小としてなる請求項１または２記載の椅子用基板。
【発明の詳細な説明】
【技術分野】
【０００１】
本発明は、椅子の座や背凭れ用の基板であって、表面がクッション材により覆われ、板厚方向に弾性変形可能な椅子用基板に関する。
【背景技術】
【０００２】
従来のこのような椅子用基板としては、例えば特許文献１に記載されているように、合成樹脂よりなる基板(座シェル)の中央部に、薄肉の凹状断面をなす前向きＵ字形の可撓性凹条を設けるとともに、この凹条の複数箇所に、長手方向と直交する方向を向くスリットを設け、基板における凹条により囲まれた内方の着座部が、下方に適度に撓むようにしたもの(例えば特許文献１参照)や、基板(座部用インナー部材)のほぼ全面に、多数の傾斜スリットを、人体の肋骨状に配置するとともに、傾斜スリットの両側に、前後方向を向くスリットを多数設け、基板全体が沈み込むように撓み易くしたもの(例えば特許文献２参照)がある。
【先行技術文献】
【特許文献】
【０００３】
【特許文献１】特開２００５−３４２９８号公報(図５)
【特許文献２】特許第３５２９６４６号公報(図２０)
【発明の概要】
【発明が解決しようとする課題】
【０００４】
上記特許文献１に記載されている基板においては、前向きＵ字形の可撓性凹条により囲まれた内方の着座部が、凹条を中心として下方に面状に撓むので、座者の臀部に沿う形状に対応するように好適に撓ませることは難しい。
この問題に対処するために、特許文献１に記載の基板においては、基板の中央部に多数の小孔を穿設し、凹条により囲まれた内方が座者の臀部に沿って撓むようにしている。しかし、このような多数の小孔を、合成樹脂製の基板に穿設するためには、基板成形用の金型の製造コストが大となる。
【０００５】
特許文献２に記載の基板においては、ほぼ全面に方向の異なるスリットを多数設けているので、上記のものに比して、基板成形用の金型の構造が複雑となり、その製造コストや、基板の単価が高くなる。
また、基板の全面に多数のスリットを設けてあると、基板全体が下方に撓み易くなって、当初は快適な着座感が得られるが、椅子の長期間の使用により、基板が経時劣化して軟質となって、全体の撓み剛性が低下するなどした際に、基板が過度に撓み、座り心地が悪くなったり、局部的に破断したりする恐れがある。
【０００６】
本発明は、上記問題点に鑑みてなされたもので、小孔やスリット等を多数設けることなく、座者の体圧が加わる部分を、好ましい態様で撓ませ、長期間に亘り、快適な座り心地が得られるようにした、安価な椅子用基板を提供することを目的としている。
【課題を解決するための手段】
【０００７】
本発明によると、上記課題は、次の各項のようにして解決される。
（１）椅子の座や背凭れに使用される椅子用基板であって、弾性変形可能な合成樹脂よりなる板材における座者の体圧が加わる部分に、左右方向と交差する方向を向き、かつ前記板材の上方または下方に凸状に湾曲する可撓性の容易変形部を、互いに平行をなすようにして、左右方向に並べて複数設けるとともに、前記容易変形部の長手方向の両端に連続して、板材に開口と、この開口の先端から長手方向に延びる狭幅のスリットとを設ける。
【０００８】
このような構成とすると、板材に座者の体圧が加わると、左右複数の容易変形部が、外開き状に弾性変形するので、板材における座者の体圧が加わる部分が、好ましい態様で撓み、快適な座り心地が得られる。
また、座者の体圧が加わる部分を効果的に撓ませうるので、従来のように、基板に多数の小孔やスリットを設ける必要がなく、安価な基板を提供しうるとともに、基板の経時劣化等により、その撓み剛性が低下するなどしても、基板が撓み過ぎる恐れはなく、長期間に亘り快適な座り心地が得られる。
さらに、開口及びスリットが拡開することにより、板材における体圧が加わる部分、及び容易変形部が撓み易くなり、座り心地がより向上するとともに、開口及びスリットが拡開させられる際に、容易変形部により抵抗力が付与されるので、スリットの端部に応力が集中することがなく、従ってその部分に亀裂等が発生する恐れがない。
【０００９】
（２）上記(１)項において、容易変形部を、板材の上方及び下方に向かって交互に凸状に湾曲する波形断面とする。
【００１０】
このような構成とすると、容易変形部自体が上下方向に弾性変形し易くなるとともに、外開き状にも拡開し易くなるので、板材における座者の体圧が加わる部分を、効果的に撓ませることができる。
【００１１】
（３）上記(１)または(２)項において、容易変形部の肉厚を、板材の厚さよりも小とする。
【００１２】
このような構成とすると、容易変形部が外開き状に弾性変形し易くなるので、板材における体圧が加わる部分を、より好ましい態様で撓ませることができる。
【発明の効果】
【００１３】
本発明によれば、板材に小孔やスリット等を多数設けることなく、座者の体圧が加わる部分を、好ましい態様で撓ませ、長期間に亘り快適な座り心地が得られるようにした椅子用基板を提供することができる。
【図面の簡単な説明】
【００１４】
【図１】本発明の第１の実施形態を備える椅子の側面図である。
【図２】同じく、座板の拡大平面図である。
【図３】同じく、座板の斜視図である。
【図４】図２のIV-IV線拡大縦断端面図である。
【図５】同じく、V-V線拡大縦断端図である。
【図６】本発明の第２の実施形態における座板の拡大平面図である。
【図７】図６のVII-VII線拡大縦断端面図である。
【発明を実施するための形態】
【００１５】
以下、本発明の実施形態を、図面に基づいて説明する。
図１は、本発明の第１の実施形態を備える椅子の側面図で、この椅子は、先端部にキャスタ１が取付けられた放射方向を向く５本の脚杆２と、それらの中心に立設され、内部に収容されたガススプリング(図示略)により伸縮可能な脚柱３と、脚柱３の上端に後端部が取付けられた、やや前上方を向く支基４と、支基４内の前向付勢手段(図示略)に連係された左右方向を向く支軸５の両側端部に前端部が固着された側面視前向きＬ字状の背フレーム６と、上下方向の中間部後面が背フレーム６により支持され、かつ下端部が斜め後上方を向く可撓性の支持片７を介して、支基４の後端部に取付けられた背凭れ８と、支基４により支持された座９とを備えている。
【００１６】
背凭れ８は、基板である合成樹脂製の上下方向を向く背板１０と、その前面を覆う背用クッション材１１とからなっている。
また、座９は、前下端部が支基４の前端部の両側部に斜め後下方に移動可能に枢着され、かつ後端下部が左右の背フレーム６の前上部に枢着された左右１対の前後方向を向く座支持フレーム１２と、この両座支持フレーム１２の上面に前後位置調節可能として取付けられた、基板としての合成樹脂製の板材よりなる座板１３と、その上面を覆う座用クッション材１４とからなっている。
【００１７】
図２〜図５に示すように、前後方向を向く座板１３は、周囲に上向きの枠状片１５を有する平面視概ね方形の浅皿状に形成され、枠状片１５により囲まれた上下に弾性変形可能な可撓性の着座部１６は、下向き円弧状になだらかに湾曲されている。着座部１６の左右両側部には、上記左右の座支持フレーム１２に上方より嵌合される上向き凹状の嵌合部１７、１７が形成されている(図４参照)。
【００１８】
着座部１６における嵌合部１７よりも内方の座者の体圧が加わる部分、すなわち、座者の臀部を支持する後部側(図２の紙面上方が後ろ)の着座部１６には、左右方向と交差する方向、すなわち前後方向に沿って延びる可撓性の容易変形部１８が、互いに平行をなすようにして、左右方向に複数(本実施形態では６個)形成されている。
【００１９】
各容易変形部１８の肉厚は、着座部１６の厚さよりも薄肉とされ、かつ前後方向の寸法は、着座部１６の前後寸法の概ね半分の長さとされている。
着座部１６における各容易変形部１８の長手方向の両端部には、容易変形部１８の左右寸法とほぼ等幅をなす短寸の開口１９、１９と、それらの先端と連続するように、前方及び後方に延びる狭幅のスリット２０、２０とが穿設されている。  各スリット２０の前後方向の長さは、容易変形部１８のそれよりも短寸とされ、かつ前部側のスリット２０の前端は、着座部１６の前後方向の中央よりもやや前方まで、後部側のスリット２０の後端は、着座部１６の後端部まで、それぞれ延出させてある。
【００２０】
図４に示すように、左右方向に並ぶ各容易変形部１８は、着座部１６の上方に上向き凸状に湾曲する左右の逆Ｕ字状断面の上向変形片１８ａ、１８ａと、それらの間に連設された、着座部１６の下方に下向き凸状に湾曲するＵ字状断面の下向変形片１８ｂとにより、波形断面に形成され、かつ容易変形部１８の外形は、前後方向に細長い薄肉波板状を呈している(図３参照)。
【００２１】
上記第１の実施形態において、座９に着座し、座者の臀部の体圧が着座部１６の後部に加わると、着座部１６における左右複数の容易変形部１８を形成した部分が、下方に撓み易くなる。
すなわち、図４の２点鎖線に示すように、後部の着座部１６に座者の臀部の体圧が加わると、左右複数の開口１９及びスリット２０が拡開して、それらの部分の着座部１６が下向きに弾性変形させられるのに伴い、薄肉の左右複数の容易変形部１８が、左右の上向変形片１８ａ、１８ａの頂部間の間隔が狭まるようにして、外開き状に弾性変形する。これにより、着座部１６の後部が座者の臀部に沿う形状に対応して、沈み込むように、好ましい態様で撓み、座者の臀部が快適に支持される。なお、着座部１６の前部には、容易変形部１８、開口１９、及びスリット２０が形成されていないので、その部分はあまり下方へ弾性変形することがなく、座者の大腿部が快適に支持される。
【００２２】
上記第１の実施形態のように、着座部１６における容易変形部１８の前後の端部に、開口１９及びスリット２０を穿設しておくと、着座部１６における座者の臀部の体圧が加わる部分が下方に撓み易くなるので、容易変形部１８も外開き状に弾性変形し易くなり、座り心地がよくなる。
また、開口１９及びスリット２０が拡開させられる際に、容易変形部１８により抵抗力が付与されるので、各スリット２０の端部に応力が集中することがなく、従ってその部分に亀裂等が発生する恐れがない。
【００２３】
さらに、着座面１６に左右複数の容易変形部１８を設けて、座者の臀部の体圧が加わる部分を下方に撓み易くしているので、従来のように、着座部１６に多数のスリットを設ける必要がなく、従って、椅子を長期間使用し、座板１３の経時劣化等により、その曲げ剛性が低下するなどしても、着座部１６の後部が過度に弾性変形することはなく、座り心地が悪くなるのを防止することができる。
【００２４】
容易変形部１８を波形の断面形状とすると、それが上下方向に弾性変形し易く、かつ外開き状に拡開し易くなるので、着座部１６の後部を、好ましい態様で撓ませることができる。
【００２５】
図６及び図７は、本発明の第２の実施形態を示すもので、この実施形態においては、座者の臀部を支持する後部側の着座部１６に、その上方に凸曲面状に突出する、着座部１６の厚さよりも薄肉の逆Ｕ字状断面の容易変形部２１を、互いに平行をなすように左右複数設けてある。
【００２６】
この第２の実施形態においても、後部の着座部１６に着座者の体圧が加わると図７の２点鎖線に示すように、各容易変形部２１が外開き状に弾性変形するので、第１の実施形態と同様に、着座部１６の後部が座者の臀部に沿って沈み込むように好適に撓み、座者の臀部が快適に支持される。なお、この第２の実施形態においては、容易変形部２１は、上記と反対に、着座部１６の下方に突出するＵ字状の断面形状としてもよい。
【００２７】
以上説明した実施形態は、本発明を椅子の座板１３に適用した例であるが、本発明は、椅子の背凭れ８の背板１０にも適用することができる。この際には、背板１０における座者の背中の体圧が加わる部分に、上記両実施形態と同様の容易変形部１８、２１を、上下方向を向くように左右複数設ければよい。このようにすると、座者が背凭れ８に凭れ掛けた際に、背板１０における背中の体圧が加わる部分が、背中の形状に沿うように、後方に向かって好ましい態様で撓むので、快適な座り心地が得られる。
【符号の説明】
【００２８】
１  キャスタ
２  脚杆
３  脚柱
４  支基
５  支軸
６  背フレーム
７  支持片
８  背凭れ
９  座
１０  背板(基板)
１１  背用クッション材
１２  座支持フレーム
１３  座板(基板)
１４  座用クッション材
１５  枠状片
１６  着座部
１７  嵌合部
１８  容易変形部
１８ａ上向変形片
１８ｂ下向変形片
１９  開口
２０  スリット
２１  容易変形部
【図１】
0005491091.tif 000002
【図２】
0005491091.tif 000003
【図３】
0005491091.tif 000004
【図４】
0005491091.tif 000005
【図５】
0005491091.tif 000006
【図６】
0005491091.tif 000007
【図７】
0005491091.tif 000008